(57)【要約】【課題】頭部の変形を効果的に抑えたグロメットを提供する。【解決手段】被取付部材をパネルに取り付けるためのグロメットにおいて、胴部４０は、内部にネジ孔６０が形成される。一対の脚部５０は、胴部４０の外側に設けられる。頭部２０は、胴部４０の一端に胴部４０の外側に張り出すように設けられ、ネジ孔６０に連通する開口部と、頭部２０の対角線上にある一対のコーナー部を薄肉状に形成された薄肉部２２とを有する。グロメット１０は頭部２０の表面に被取付部材を載置し、開口部にネジを挿入して、被取付部材を頭部２０にネジ留めされる。係止部５２は、脚部５０は、パネルの孔縁に係止するためのものである。薄肉部２２は、係止部５２の少なくとも一部の軸方向上方の位置を含むように構成される。【選択図】図２
2015086881.tif 000002
【特許請求の範囲】
【請求項１】
被取付部材をパネルに取り付けるためのグロメットであって、
内部にネジ孔が形成された胴部と、
前記胴部の外側に設けられた一対の脚部と、
前記胴部の一端に前記胴部の外側に張り出すように設けられた頭部であって、前記ネジ孔に連通する開口部と、前記頭部の対角線上にある一対のコーナー部を薄肉状に形成された薄肉部とを有する矩形状の頭部と、を備え、
前記頭部の表面に被取付部材を載置し、前記開口部にネジを挿入して、被取付部材を前記頭部にネジ留めされ、
前記脚部は、パネルの孔縁に係止するための係止部を有し、
前記薄肉部は、前記係止部の少なくとも一部の軸方向上方の位置を含むように構成されることを特徴とするグロメット。
【請求項２】
前記薄肉部は、前記頭部の他のコーナー部の表面にも形成されることを特徴とする請求項１に記載のグロメット。
【請求項３】
前記薄肉部により厚肉の前記頭部の厚肉部と前記薄肉部との境界に形成された段面の少なくとも一部は、前記頭部の外周の各辺にまで延びることを特徴とする請求項１または２に記載のグロメット。
【発明の詳細な説明】
【技術分野】
【０００１】
本発明は、被取付部材をパネルに取り付けるためのグロメットに関する。
【背景技術】
【０００２】
車両の車体パネルに飾り材などの被取付部材を取り付ける場合に、グロメットが用いられる（特許文献１参照）。特許文献１に記載の合成樹脂製グロメットは、筒孔部を有する有底筒部と、筒孔部に続くネジ挿入孔を中央に有する平板状の頭部と、胴部の外周に設けられて斜め上向きに延びる係止爪部とを備える。このグロメットの使用状態では、頭部に平板状の第１部材がネジ留めされ、頭部の下面と係止爪部の間に第１部材とは別の第２部材が嵌合されている。第２部材をグロメットにより第１部材に取り付ける場合、たとえば第１部材をグロメットの頭部にネジ留めした後、グロメットの胴部および係止爪部を第２部材の取付孔内に挿入して取り付ける。
【先行技術文献】
【特許文献】
【０００３】
【特許文献１】実開昭６０−１８３１４号公報
【発明の概要】
【発明が解決しようとする課題】
【０００４】
特許文献１の記載の技術では、平板状の第１部材を頭部にネジ留めした場合に、ネジ留めの荷重によって頭部の外側が垂れるように変形する可能性がある。頭部が垂れるように変形すると頭部の下面と係止爪部との間隔が狭くなり、第２部材を取り付けることができなくなる可能性がある。
【０００５】
本発明はこのような課題に鑑みてなされたものであり、その目的は、頭部の変形を効果的に抑えたグロメットを提供することにある。
【課題を解決するための手段】
【０００６】
上記課題を解決するために、本発明のある態様は、被取付部材をパネルに取り付けるためのグロメットであって、内部にネジ孔が形成された胴部と、胴部の外側に設けられた一対の脚部と、胴部の一端に胴部の外側に張り出すように設けられた頭部であって、ネジ孔に連通する開口部と、頭部の対角線上にある一対のコーナー部を薄肉状に形成された薄肉部とを有する矩形状の頭部と、を備える。このグロメットは頭部の表面に被取付部材を載置し、開口部にネジを挿入して、被取付部材を頭部にネジ留めされる。脚部は、パネルの孔縁に係止するための係止部を有する。薄肉部は、係止部の少なくとも一部の軸方向上方の位置を含むように構成される。
【０００７】
この態様によると、薄肉部が被取付部材に非接触になり、ネジ留めによる頭部の変形を抑えることができる。係止部の軸方向上方の頭部においてネジ留めによる変形を抑えることができるため、係止部と頭部の間隔が狭くなり、パネルの取り付けが困難になる可能性を効果的に低減できる。
【発明の効果】
【０００８】
本発明によれば、グロメットにおいて頭部の変形を効果的に抑えることができる。
【図面の簡単な説明】
【０００９】
【図１】グロメットの斜視図である。
【図２】（ａ）〜（ｃ）はグロメットを説明するための説明図である。
【図３】図３（ａ）は、図２（ｃ）に示すグロメットの線分Ａ−Ａの断面図を示し、図３（ｂ）は、図２（ｃ）に示すグロメットの線分Ｂ−Ｂの断面図を示す図である。
【図４】図４（ａ）は、比較技術に係るグロメットの使用態様を示す図であり、図４（ｂ）は、実施形態に係るグロメットの使用態様を示す図である。
【図５】変形例に係るグロメットの斜視図である。
【発明を実施するための形態】
【００１０】
図１は、グロメット１０の斜視図である。グロメット１０は、被取付部材をパネルに取り付けるために用いられ、頭部２０、胴部４０および脚部５０を備える。被取付部材は、グロメット１０の頭部２０にネジ留めされ、グロメット１０の胴部４０をパネルの取付孔に挿入してパネルに取り付けられる。たとえばパネルは車体パネルであり、被取付部材は車両用飾り材である。このグロメット１０の各構成について以下の図面を参照しつつ詳細に説明する。
【００１１】
図２は、グロメット１０を説明するための説明図である。図２（ａ）は、グロメット１０の上面図であり、図２（ｂ）は、第１方向からみたグロメット１０の側面図であり、図２（ｃ）は、第１方向と直交する第２方向からみたグロメット１０の側面図である。ここで各図面に示される同一または同等の構成要素、部材には、同一の符号を付するものとし、適宜重複した説明は省略する。
【００１２】
胴部４０は、筒状に形成され、内部にネジ孔６０が形成される。胴部４０の内周面にはネジ溝が形成されてもよい。胴部４０は、矩形のパネル孔に挿入されるため、断面が角形に形成される。胴部４０の下部には先端に向かって縮径する縮径部４２が形成される。縮径部４２により先端が細くなっているため、パネル孔へ挿入が容易である。なお、ネジ孔６０の中心軸に平行な方向を軸方向といい、ネジ孔６０の中心軸に対する径方向を単に径方向という。
【００１３】
一対の脚部５０は、胴部４０の縮径部４２の外周に設けられ、縮径部４２から上方の頭部２０に向かって延在するように形成される。脚部５０の先端には、パネルの孔縁に係止するための係止部５２が形成される。係止部５２は径方向外側の面に先端に向かって細くなるテーパ面を有し、パネルの孔縁に当接する。係止部５２のテーパ面の端部は段状に形成され、孔縁に掛止可能に構成される。一対の脚部５０は、弾性を有し、互いに接近および拡開可能である。一対の脚部５０は中心軸に対して対称的に配置されている。これにより矩形のパネル孔に取り付けた場合に、パネル孔の隅に係止部５２が係止して、係止部５２がグロメット１０の回転止めとして機能させてもよい。
【００１４】
頭部２０は、胴部４０の一端に胴部４０の外側に張り出すように設けられ、矩形状に形成される。頭部２０は、薄肉部２２、厚肉部２４、開口形成部２６、フランジ部３２および凹部３４を有する。開口形成部２６により頭部２０の中央に形成される開口部は、ネジ孔６０に連通する。フランジ部３２は頭部２０において胴部４０より径方向外向きに張り出した部分をいう。図２（ｃ）に示すように頭部２０の裏面には凹部３４が形成される。凹部３４は係止部５２の軸方向上方に位置する。
【００１５】
図１には、頭部２０を薄肉状に形成された薄肉部２２が示される。図２（ａ）に示すように、薄肉部２２は、頭部２０の４隅である一対の第１コーナー部３６ａおよび一対の第２コーナー部３６ｂに形成される。頭部２０の対角線上にある一対の第１コーナー部３６ａの下側に係止部５２が配されている。すなわち、一対の第１コーナー部３６ａを結ぶ線と、係止部５２を結ぶ線は平行である。コーナー部は頭部２０の隅および隅近傍の領域を含む。薄肉部２２を頭部２０の表面を切り欠くように形成することで軽量化でき、製造コストを抑えることができる。薄肉部２２の詳細は後述する。頭部２０において薄肉部２２により厚肉の部分が厚肉部２４である。薄肉部２２と厚肉部２４により頭部２０の表面は凸凹に形成され、厚肉部２４と薄肉部２２との境界に段面が形成される。なお、薄肉部２２および厚肉部２４において、頭部２０の軸方向長さが相対的に薄い部分を薄肉、厚い部分を厚肉という。
【００１６】
図２（ａ）に示すように、厚肉部２４は、４つの第１厚肉部２４ａと、第１厚肉部２４ａと連結する第２厚肉部２４ｂとを有する。第２厚肉部２４ｂは中央に開口があるものの外周は矩形状に形成され、第２厚肉部２４ｂの外周から第１厚肉部２４ａのそれぞれが延在している。第２厚肉部２４ｂのそれぞれは、頭部２０の外周２８の各辺にまで延びている。すなわち厚肉部２４と薄肉部２２との境界に形成された段面の少なくとも一部は、頭部２０の外周２８の各辺にまで延びる。これにより、ネジ留めする被取付部材に対する厚肉部２４の強度を確保することができる。第１厚肉部２４ａは、凹部３４に沿って形成され、頭部２０の強度を確保できる。
【００１７】
図３（ａ）は、図２（ｃ）に示すグロメット１０の線分Ａ−Ａの断面図を示し、図３（ｂ）は、図２（ｃ）に示すグロメット１０の線分Ｂ−Ｂの断面図を示す。
【００１８】
図３（ａ）に示すように、実施形態の胴部４０は矩形状のパネル孔に固定されるため、角形に形成される。パネル孔に取り付ける場合、一対の脚部５０が互いに接近して、脚部５０と胴部４０が矩形のパネル孔に挿入される。胴部４０の内部にネジ孔６０が形成され、内周にネジ溝４４が形成される。図３（ｂ）に示すように、開口形成部２６に形成された開口はネジ孔６０に連通する。
【００１９】
図４（ａ）は、比較技術に係るグロメット１００の使用態様を示す図であり、図４（ｂ）は、実施形態に係るグロメット１０の使用態様を示す図である。グロメット１００は、実施形態のグロメット１０と比較するために示している。
【００２０】
グロメット１００はグロメット１０と頭部の形状が異なる。グロメット１００の頭部１２０は平板状に形成され、その表面は平らである。つまり、頭部１２０の一部を切り欠いてグロメット１０の頭部２０が形成される。グロメット１００において、頭部１２０以外の胴部１４０および脚部１５０の構成は、グロメット１０と同様である。
【００２１】
ここで、グロメット１０およびグロメット１００の使用態様について説明する。まず、頭部２０の表面に第１被取付部材１４および第２被取付部材１６を載置し、開口部からネジ１２を挿入して、第１被取付部材１４および第２被取付部材１６を頭部２０にネジ留めをする。なお第１被取付部材１４と第２被取付部材１６の材質は異なっており、第２被取付部材１６は第１被取付部材１４より軟質であり、可撓性を有する軟質材料で形成される。これにより、頭部２０が第２被取付部材１６から受ける負荷が不均一になる場合がある。
【００２２】
第１被取付部材１４および第２被取付部材１６を頭部２０に固定した後、胴部４０の先端からパネル１８のパネル孔１８ａに挿入する。挿入途中において脚部５０は互いに接近し、係止部５２がパネル孔１８ａの孔縁まで移動すると、拡開して孔縁に係止する。パネル孔１８ａの孔縁をフランジ部３２および係止部５２により上下から挟持して、グロメット１０がパネル１８に固定される。
【００２３】
ところで、頭部１２０に第１被取付部材１４および第２被取付部材１６をネジ留めする場合において、ネジ１２を過剰に締めると頭部２０に大きな荷重がかかり、図４（ａ）に示すようにフランジ部１３２が垂れるように変形するおそれがある。とくに、第１被取付部材１４が軟質材料である場合、胴部４０から径方向に大きく離れた頭部１２０の４隅側が脚部５０側に垂れるように変形しやすい。パネル１８はフランジ部１３２と係止部１５２に挟持されるため、フランジ部１３２が係止部１５２に接近すると、取り付け可能なパネル１８の厚み７０が小さくなる。そのためフランジ部３２が垂れるように変形すると、最悪の場合、パネル１８に取り付けできないことがある。
【００２４】
そこで、図４（ｂ）に示すように実施形態のグロメット１０は、グロメット１０の頭部２０の表面に厚肉部２４より凹んだ薄肉部２２を形成し、被取付部材をネジ留めした場合に、被取付部材と非接触となる部分を設ける。薄肉部２２は被取付部材に非接触であるためネジ留めによる荷重を直接受けず、薄肉部２２が垂れるように変形することを抑えることができる。
【００２５】
図２（ａ）に、係止部５２と薄肉部２２の位置関係が示されており、薄肉部２２は、頭部２０の対角線上にある一対の第１コーナー部３６ａに薄肉状に形成され、係止部５２の少なくとも一部の軸方向上方の位置を含むように構成される。頭部２０の角から少なくとも最外側の係止部５２の軸方向上方の位置までの頭部２０の表面に薄肉部２２を形成することで、係止部５２の上側の頭部２０が垂れることを抑え、係止部５２とフランジ部３２の間隔が狭まることを効果的に抑えることができる。また、頭部２０および係止部５２の間隔が安定するため、頭部２０と脚部５０の寸法公差を適切に設定できる。
【００２６】
薄肉部２２は、頭部２０の第２コーナー部３６ｂにも形成される。これにより頭部２０の変形を全体的に抑えることができ、パネル１８に取り付けた場合にグロメット１０がガタつくことを抑えることができる。
【００２７】
図５は、変形例に係るグロメット２００の斜視図である。グロメット２００はグロメット１０と頭部２２０の形状が異なる。グロメット２００の胴部４０および脚部５０の構成はグロメット１０と同様なので説明を省略する。
【００２８】
頭部２２０は胴部４０の一端に設けられ、矩形状に形成される。頭部２２０は、中央に形成された開口形成部２２６と、胴部４０より外側に張り出すフランジ部２３２と、頭部２２０に薄肉状に形成された薄肉部２２２と、薄肉部２２２より厚肉であり被取付部材と接触する厚肉部２２４と、を有する。
【００２９】
薄肉部２２２は、頭部２２０の４隅のコーナー部に形成される。薄肉部２２２は、係止部５２の少なくとも一部の軸方向上方の位置を含むように構成される。これにより係止部５２の上方にある頭部２２０の変形を抑えることができる。また厚肉部２２４の外周が矩形状に形成され、厚肉部２２４の角は頭部の外周の各辺にまで延びてよい。これにより厚肉部２２４の強度を十分に確保することができる。
【００３０】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【符号の説明】
【００３１】
１０  グロメット、  １２  ネジ、  １４  第１被取付部材、  １６  第２被取付部材、  １８  パネル、  １８ａ  パネル孔、  ２０  頭部、  ２２  薄肉部、  ２４  厚肉部、  ２６  開口形成部、  ２８  外周、  ３０  裏面、  ３２  フランジ部、  ３４  凹部、  ３６ａ  第１コーナー部、  ３６ｂ  第２コーナー部、  ４０  胴部、  ４２  縮径部、  ４４  ネジ溝、  ５０  脚部、  ５２  係止部、  ６０  ネジ孔。
【図１】
2015086881.tif 000003
【図２】
2015086881.tif 000004
【図３】
2015086881.tif 000005
【図４】
2015086881.tif 000006
【図５】
2015086881.tif 000007